(57)【特許請求の範囲】
【請求項１】
複数のコイルと前記複数のコイルを支持するボビンとを有する固定子を備えた回転電機において、
前記固定子は、
前記複数のコイルを相互に電気的に接続する複数の渡り線と、
該複数の渡り線のうち前記複数のコイルの上部に配された第１の渡り線と前記複数のコイルとの間に配置され、前記複数のコイルと前記第１の渡り線とを絶縁するシート状の第１の絶縁物と、
前記第１の渡り線の上部に配された第２の渡り線と前記第２の渡り線との間に配置され、前記第１の渡り線と前記第２の渡り線とを絶縁するシート状の第２の絶縁物と、
を備えたことを特徴とする回転電機。
【請求項２】
請求項１に記載の回転電機において、
前記第１の絶縁物は、前記第１の渡り線を通す穴を有し、該穴に前記第１の渡り線を通すことにより配置され、
前記第２の絶縁物は、前記第２の渡り線を通す穴を有し、該穴に前記第２の渡り線を通すことにより配置されることを特徴とする回転電機。
【請求項３】
請求項１又は２に記載の回転電機において、
前記回転電機は３相式の回転電機であって、
前記固定子は、さらに、前記第２の渡り線の上部に配された第３の渡り線と前記第２の渡り線との間に配置され、前記第２の渡り線と前記第３の渡り線とを絶縁するシート状の第２の絶縁物を備え、
前記第１の渡り線と前記第２の渡り線と前記第３の渡り線とは、３相のうちそれぞれ別の相の渡り線であることを特徴とする回転電機。
【請求項４】
請求項１から請求項３の何れかに記載の回転電機において、
前記第１の絶縁物及び前記第２の絶縁物は、前記ボビンの内側の壁部と前記ボビンの外側の壁部との間に配置されることを特徴とする回転電機。
【請求項５】
請求項１から請求項３の何れかに記載の回転電機において、
前記第１の絶縁物及び前記第２の絶縁物の平面形状は、前記ボビンと同心円の円弧状となることを特徴とする回転電機。
【請求項６】
請求項１から請求項３の何れかに記載の回転電機において、
前記ボビンの形状は多角形の形状であり、
前記第１の絶縁物及び前記第２の絶縁物の平面形状は、前記ボビンの形状に合わせた多角形の形状となることを特徴とする回転電機。
【発明の詳細な説明】
【技術分野】
【０００１】
本発明は、電動機や発電機等の回転電機を提供する技術に関する。
【背景技術】
【０００２】
回転電機の固定子は、一般的に複数相のコイルが複数個設けられ、そのコイルを電気的に接続する渡り線等は、絶縁に留意して、構成されており、例えば、特許文献１に記載がある。
【０００３】
【特許文献１】特開２００２−２４７７９２号公報
【発明の開示】
【発明が解決しようとする課題】
【０００４】
特許文献１における固定子の構造例を図４に示す。本例は１２個のコイルを用いる３相同期電動機の場合である。各相のコイルは各々４ヶづつあり、同相のコイル間を電気的に接続する必要がある場合、コイル間を接続する渡り線は、コイルと渡り線および渡り線同士が絶縁されるように、配線処理部材６を用いて回転電機用固定子を構成し、また、これらを備えた回転電機とが記載されている。
【０００５】
コイルと渡り線、渡り線同士および端末線の間の絶縁性を向上させるために、絶縁材から成る配線処理部材６を製作する場合、絶縁性を有した樹脂を、金型を用いて成形するのが一般的である。
【０００６】
しかし、配線処理部材は形状が複雑で金型が高価になってしまい、その結果、部材のコストも高価なものとなってしまう等の問題がある。従って、上記したように、絶縁性を向上させること、コストが高価となることを出来るだけ、避けるようにすることが課題である。
【課題を解決するための手段】
【０００７】
前記課題を解決するにあたり、以下のような手段を用いる。
【０００８】
回転電機の回転電機用固定子が有する複数相のコイルを複数個設ける際に、そのコイルを電気的に接続する渡り線、コイルの巻き線、端末線をシート状の絶縁物によって、相互に絶縁を図るようにする。
【０００９】
また、上記固定子を構成し、コイルを支持するボビンの内側の壁部(以下、内壁と称す)と、外側の壁部(以下、外壁と称す)との間に、上記コイルが設けられる場合には、上記ボビンの内壁と外壁の間に、上記シート状の絶縁物も設けられるようにする。
【００１０】
従って、上記シート状の絶縁物の平面形状は、上記ボビンの内壁と外壁と形成される形状に対応する形状となるようにする。例えば、同心円の帯状の部材を任意に切取って形成される円弧状となるようにする。
【００１１】
前記シート状の絶縁物には、渡り線、コイルの巻き線、端末線などの導体線、電線等が通る穴とその穴から絶縁物の端面まで切込みを有するようにする。
【００１２】
上記シート状の絶縁物として、絶縁紙を用いるものであってもよい。
【発明の効果】
【００１３】
本発明によれば、従来に比べて、安価な電動機や発電機等の回転電機を提供することができる。
【発明を実施するための最良の形態】
【００１４】
以下、本発明の実施例について図を用いて説明する。
【００１５】
本実施例は、６個のコイルを用いる３相式同期電動機の場合であって、図１は固定子の斜視図、図２はシート状の絶縁物、図３はコイルエンド部の断面図である。
【００１６】
図１において１は固定子、２ａ、２ｂ、２ｃはＵ相、Ｖ相、Ｗ相コイルの引き出し線、３ａ、３ｂ、３ｃはＵ相、Ｖ相、Ｗ相コイルの渡り線、４はシート状の絶縁物、５ａ、５ｂはコイルが巻線されたボビンの内径側の壁部と外径側の壁部である。固定子スロットには全６個のコイルが収納され、そのコイルの上部に各相の渡り線が配置される。相間の絶縁を確保するために各相の渡り線の間には絶縁材を配置する必要があり、その絶縁材として図２に示すシート状の絶縁物が配置されている。
【００１７】
コイルエンドの上には１枚目のシート状の絶縁物４が配置され、その１枚目のシート状の絶縁物４の穴４ａにはＵ相の渡り線３ａが通っており、シート状の絶縁物４は渡り線を穴４ａに通すための切込み部４ｂを有している。
【００１８】
ここで１枚目のシート状の絶縁物４はＵ相の渡り線３ａとコイルが接触しないために十分な形状をしている。また、シート状の絶縁物４はコイルの上部に安定して配置できるように、ボビンの内径側の壁部５ａと外形側の壁部５ｂの間にちょうど収まるような形状となっている。
【００１９】
同様に、Ｕ相の渡り線の上には２枚目のシート状の絶縁物４が配置され、その２枚目のシート状の絶縁物４の穴４ａにはＶ相の渡り線３ｂが通っており、Ｖ相の渡り線３ｂとＵ相の渡り線３ａが接触しないために十分な形状をしている。さらにその上には３枚目のシート状の絶縁物が配置され、その３枚目のシート状の絶縁物４の穴４ａにはＷ相の渡り線３ｂが通っており、Ｗ相の渡り線３ＣとＶ相の渡り線３ｂが接触しないために十分な形状をしている。
【００２０】
図３は上記図１の固定子のコイルエンド部の断面図であり、コイルと渡り線および渡り線同士の間にシート状の絶縁物４が配置されている。このような構成によってコイルと渡り線および渡り線同士の絶縁を従来よりも高めるようにする。
【００２１】
本実施例では、シート状の絶縁物４の穴４ａは１枚の絶縁紙に対して１箇所であるが、シート状の絶縁物４の穴４ａは１枚の絶縁紙に対して複数箇所でもよく、穴４ａを絶縁紙の両方の端部に配置してもかまわない。
【００２２】
また、穴でなくともＵ字溝の形をしていてもかまわない。また、シート状の絶縁物４の形状についても概半円状の絶縁紙で説明したが、より配置を安定させるためにドーナッツ形状をしたシート状の絶縁物としてもよい。
【００２３】
また、巻き線を有するスロットの形状等に対応する等の多角形の形状にボビン形状を設けることもあるので、上記シート状の絶縁物も、この形状に対応して、大きさの違う多角形で、大きい多角形がボビンの外側の壁部となり、小さい多角形がボビンの内側の壁部となる繋がった帯状の部材を任意に切取った形状となるものであってもよい。
【００２４】
また、図示しない端末線の絶縁を図るためにシート状の絶縁物を使用してもよい。
【図面の簡単な説明】
【００２５】
【図１】固定子の斜視図
【図２】シート状の絶縁物
【図３】コイルエンド部の断面図
【図４】従来の回転電機の固定子の構成例を示す図
【符号の説明】
【００２６】
１…固定子、２ａ、２ｂ、２ｃ…引き出し線、３ａ、３ｂ、３ｃ…渡り線、４…シート状の絶縁物、４ａ…穴、４ｂ…切込み部、５ａ、５ｂ…ボビンの壁部、６…コイルエンド、７…配線処理部材
【図１】
0004644596.tif 000002
【図２】
0004644596.tif 000003
【図３】
0004644596.tif 000004
【図４】
0004644596.tif 000005